【手続補正書】
【提出日】令和1年5月9日(2019.5.9)
【手続補正１】
【補正対象書類名】特許請求の範囲
【補正対象項目名】全文
【補正方法】変更
【補正の内容】
【特許請求の範囲】
【請求項１】
表示デバイスと、色補正回路と、前記色補正回路から出力される色調整後画像データに応じて前記表示デバイスを駆動するように構成された駆動部とを備える表示装置の色調整を行うための色調整方法であって、
白色点に対応する画像データを前記駆動部に入力したときに前記表示デバイスに表示される色の輝度及び色度座標を示す第１輝度座標データを測定するステップと、
少なくとも一の中間階調の白色に対応する画像データを前記駆動部に入力したときに前記表示デバイスに表示される色の輝度及び色度座標を示す第２輝度座標データを測定するステップと、
複数の原色点にそれぞれに対応する画像データを前記駆動部に入力したときに前記表示デバイスに表示される色の輝度及び色度座標を示す第３輝度座標データを測定するステップと、
前記第１乃至第３輝度座標データに基づいて前記色補正回路に設定する補正パラメータを算出するステップ
とを具備する
色調整方法。
【請求項２】
請求項１に記載の色調整方法であって、
前記補正パラメータを算出するステップは、
前記白色点及び調整対象色の目標ＲＧＢ値を算出するステップと、
前記白色点に対応する画像データが前記色補正回路に入力されたときに前記白色点の前記目標ＲＧＢ値が前記色調整後画像データとして出力され、前記調整対象色に対応する画像データが前記色補正回路に入力されたときに前記調整対象色の前記目標ＲＧＢ値が前記色調整後画像データとして出力されるように、前記補正パラメータを算出するステップ
を備える
色調整方法。
【請求項３】
請求項２に記載の色調整方法であって、
前記第１輝度座標データと前記第３輝度座標データから前記表示装置の特性を示すＸＹＺ−ＲＧＢ変換マトリックスを算出するステップと、
前記第１輝度座標データと前記第２輝度座標データに基づいて、前記白色についての各階調のガンマ値を算出するステップと、
算出された前記白色についての各階調のガンマ値と、前記ＸＹＺ−ＲＧＢ変換マトリックスとに基づいて、原色Ｒについての各階調のガンマ値と、原色Ｇについての各階調のガンマ値と、原色Ｂについての各階調のガンマ値とを算出するステップと、
算出された原色Ｒについての各階調のガンマ値と、原色Ｇについての各階調のガンマ値と、原色Ｂについての各階調のガンマ値を用いて、前記白色点及び前記調整対象色の前記目標ＲＧＢ値を算出するステップ
とを備える
色調整方法。
【請求項４】
請求項３に記載の色調整方法であって、
前記調整対象色が、前記複数の原色点を含んでおり、
前記白色点の前記目標ＲＧＢ値は、前記白色点について定められた目標の色座標に基づいて算出され、
前記複数の原色点の前記目標ＲＧＢ値は、前記複数の原色点について定められた目標の色座標及び目標の相対輝度に基づいて算出された
色調整方法。
【請求項５】
表示デバイスと、色補正回路と、前記色補正回路から出力される色調整後画像データに応じて前記表示デバイスを駆動するように構成された駆動部とを備える表示装置の色調整を行うための色調整装置であって、
白色点に対応する画像データを前記駆動部に入力したときに前記表示デバイスに表示される色の輝度及び色度座標を示す第１輝度座標データと、少なくとも一の中間階調の白色に対応する画像データを前記駆動部に入力したときに前記表示デバイスに表示される色の輝度及び色度座標を示す第２輝度座標データと、複数の原色点にそれぞれに対応する画像データを前記駆動部に入力したときに前記表示デバイスに表示される色の輝度及び色度座標を示す第３輝度座標データとを測定する輝度計と、
前記第１乃至第３輝度座標データに基づいて前記色補正回路に設定する補正パラメータを算出する演算装置
とを具備する
色調整装置。
【請求項６】
請求項５に記載の色調整装置であって、
前記演算装置は、前記白色点及び調整対象色の目標ＲＧＢ値を算出し、前記白色点に対応する画像データが前記色補正回路に入力されたときに前記白色点の目標ＲＧＢ値が前記色調整後画像データとして出力され、前記調整対象色に対応する画像データが前記色補正回路に入力されたときに前記調整対象色の目標ＲＧＢ値が前記色調整後画像データとして出力されるように、前記補正パラメータを算出するように構成された
色調整装置。
【請求項７】
請求項６に記載の色調整装置であって、
前記演算装置は、前記第１輝度座標データと前記第３輝度座標データから前記表示装置の特性を示すＸＹＺ−ＲＧＢ変換マトリックスを算出し、前記第１輝度座標データと前記第２輝度座標データに基づいて、前記白色についての各階調のガンマ値を算出し、算出された前記白色についての各階調のガンマ値と、前記ＸＹＺ−ＲＧＢ変換マトリックスとに基づいて、原色Ｒについての各階調のガンマ値と、原色Ｇについての各階調のガンマ値と、原色Ｂについての各階調のガンマ値とを算出し、算出された原色Ｒについての各階調のガンマ値と、原色Ｇについての各階調のガンマ値と、原色Ｂについての各階調のガンマ値を用いて、前記白色点及び前記調整対象色の前記目標ＲＧＢ値を算出するように構成された
色調整装置。
【請求項８】
請求項７に記載の色調整装置であって、
前記調整対象色が、前記複数の原色点を含んでおり、
前記白色点の前記目標ＲＧＢ値は、前記白色点について定められた目標の色座標に基づいて算出され、
前記複数の原色点の前記目標ＲＧＢ値は、前記複数の原色点について定められた目標の色座標及び目標の相対輝度に基づいて算出される
色調整装置。
【請求項９】
外部から供給される入力画像データ又は前記入力画像データに対して所望のデジタル演算を行って得られるデータから色調整後画像データを生成する色補正回路と、
前記色調整後画像データに応じて表示デバイスを駆動するように構成された駆動部と、
白色点に対応する画像データを前記駆動部に入力したときに前記表示デバイスに表示される色の輝度及び色度座標を示す第１輝度座標データと、少なくとも一の中間階調の白色に対応する画像データを前記駆動部に入力したときに前記表示デバイスに表示される色の輝度及び色度座標を示す第２輝度座標データと、複数の原色点にそれぞれに対応する画像データを前記駆動部に入力したときに前記表示デバイスに表示される色の輝度及び色度座標を示す第３輝度座標データとを記憶する不揮発性メモリ
とを具備する
表示ドライバ。
【請求項１０】
ホストと、
表示デバイスと前記表示デバイスを駆動する表示ドライバとを備える表示装置
とを具備し、
前記表示ドライバが、
前記ホストから供給される入力画像データ又は前記入力画像データに対して所望のデジタル演算を行って得られるデータから色調整後画像データを生成する色補正回路と、
前記色調整後画像データに応じて前記表示デバイスを駆動するように構成された駆動部と、
白色点に対応する画像データを前記駆動部に入力したときに前記表示デバイスに表示される色の輝度及び色度座標を示す第１輝度座標データと、少なくとも一の中間階調の白色に対応する画像データを前記駆動部に入力したときに前記表示デバイスに表示される色の輝度及び色度座標を示す第２輝度座標データと、複数の原色点にそれぞれに対応する画像データを前記駆動部に入力したときに前記表示デバイスに表示される色の輝度及び色度座標を示す第３輝度座標データとを保持する不揮発性メモリ
とを備え、
前記ホストは、前記表示ドライバから前記第１乃至第３輝度座標データを受け取り、受け取った前記第１乃至第３輝度座標データを基づいて前記色補正回路に設定する補正パラメータを算出し、前記補正パラメータを前記表示ドライバに転送する
表示システム。
【請求項１１】
請求項１０に記載の表示システムであって、
前記ホストは、前記白色点及び調整対象色の目標ＲＧＢ値を算出するように構成されると共に、前記白色点に対応する画像データが前記色補正回路に入力されたときに前記白色点の目標ＲＧＢ値が前記色調整後画像データとして出力され、前記調整対象色に対応する画像データが前記色補正回路に入力されたときに前記調整対象色の目標ＲＧＢ値が前記色調整後画像データとして出力されるように、前記補正パラメータを算出するように構成された
表示システム。
【請求項１２】
請求項１１に記載の表示システムであって、
前記ホストは、前記第１輝度座標データと前記第３輝度座標データから前記表示装置の特性を示すＸＹＺ−ＲＧＢ変換マトリックスを算出し、前記第１輝度座標データと前記第２輝度座標データに基づいて、前記白色についての各階調のガンマ値を算出し、算出された前記白色についての各階調のガンマ値と、前記ＸＹＺ−ＲＧＢ変換マトリックスとに基づいて、原色Ｒについての各階調のガンマ値と、原色Ｇについての各階調のガンマ値と、原色Ｂについての各階調のガンマ値とを算出し、算出された原色Ｒについての各階調のガンマ値と、原色Ｇについての各階調のガンマ値と、原色Ｂについての各階調のガンマ値を用いて、前記白色点及び前記調整対象色の前記目標ＲＧＢ値を算出するように構成された
表示システム。
【請求項１３】
請求項１２に記載の表示システムであって、
前記調整対象色が、前記複数の原色点を含んでおり、
前記白色点の前記目標ＲＧＢ値は、前記白色点について定められた目標の色座標に基づいて算出され、
前記複数の原色点の前記目標ＲＧＢ値は、前記複数の原色点について定められた目標の色座標及び目標の相対輝度に基づいて算出された
表示システム。